(57)【要約】【課題】マルチングバッフルプレート内における刈り草の詰まりを防止することが刈り刃による草刈りに悪影響を及ぼすことを回避しつつ、マルチングバッフルプレート内における刈り草の詰まりを防止できるようにする。【解決手段】マルチングバッフルプレート２０のうち、刈り刃１６の回転中心Ｐよりも刈り刃ハウジング１２の後方側に位置する後プレート部２０Ｒにおける下端ＲＴが刈り刃１６の刈り刃部１６ａよりも上方に位置している。【選択図】図３
2018174813.tif 000002
【特許請求の範囲】
【請求項１】
刈り刃ハウジングと、
前記刈り刃ハウジングの内部に前記刈り刃ハウジングの上下向きの軸芯を回転中心にして回転可能に設けられ、草を刈り取る刈り刃と、
前記刈り刃ハウジングの内部に設けられると共に前記刈り刃ハウジングの上下方向視において前記刈り刃の回転範囲を囲うマルチングバッフルプレートと、が備えられ、
前記刈り刃は、刈り刃部と、前記刈り刃部の先端部から立ち上がる起風部とを備え、
前記マルチングバッフルプレートのうち、前記回転中心よりも前記刈り刃ハウジングの後方側に位置する後プレート部における下端が前記刈り刃部よりも上方に位置している草刈装置。
【請求項２】
前記後プレート部における前記下端が前記起風部よりも上方に位置している請求項１に記載の草刈装置。
【請求項３】
前記マルチングバッフルプレートのうち、前記回転中心よりも前記刈り刃ハウジングの前方側に位置する前プレート部における下端が前記刈り刃部よりも下方に位置している請求項１又は２に記載の草刈装置。
【請求項４】
前記回転範囲のうち、前記回転中心よりも前記刈り刃ハウジングの前方側に位置する部位に設けられ、刈り草を下向きに流下案内する案内部材を備えている請求項１〜３のいずれか一項に記載の草刈装置。
【発明の詳細な説明】
【技術分野】
【０００１】
本発明は、刈り刃ハウジングと、前記刈り刃ハウジングの内部に前記刈り刃ハウジングの上下向きの軸芯を回転中心にして回転可能に設けられ、草を刈り取る刈り刃と、が備えられた草刈装置に関する。
【背景技術】
【０００２】
上記した草刈装置として、刈り刃ハウジングの内部に設けられると共に刈り刃ハウジングの上下方向視において刈り刃の回転範囲を囲うマルチングバッフルプレートが備えられたものがある。この草刈装置は、刈り刃によって刈り取られた刈り草が、マルチングバッフルプレートの内部において、刈り刃による切断によって細片化されることを可能にされたものである。
【０００３】
この種の草刈装置としては、従来、例えば特許文献１に記載されたものがある。特許文献１に記載されたものでは、刈り刃の回転範囲の前側周囲に位置する刈り草ガイド部材、及び、刈り刃の回転範囲の後側周囲に位置する後部バッフルプレートが備えられ、刈り草ガイド部材及び後部バッフルプレートによってマルチングバッフルプレートが構成されている。
【先行技術文献】
【特許文献】
【０００４】
【特許文献１】特開２００９−１９５２０６号公報（図５）
【発明の概要】
【発明が解決しようとする課題】
【０００５】
上記した草刈装置において、マルチングバッフルプレートの内部に多量の刈り草が滞留すると、詰まりの原因になる。刈り草が詰まってしまうと、刈取り不良が生じる。
【０００６】
本発明は、マルチングバッフルプレート内における刈り草の詰まりを防止することが刈り刃による草刈りに悪影響を及ぼすことを回避しつつ、マルチングバッフルプレート内における刈り草の詰まりを防止できる草刈装置を提供する。
【課題を解決するための手段】
【０００７】
本発明による草刈装置は、
刈り刃ハウジングと、
前記刈り刃ハウジングの内部に前記刈り刃ハウジングの上下向きの軸芯を回転中心にして回転可能に設けられ、草を刈り取る刈り刃と、
前記刈り刃ハウジングの内部に設けられると共に前記刈り刃ハウジングの上下方向視において前記刈り刃の回転範囲を囲うマルチングバッフルプレートと、が備えられ、
前記刈り刃は、刈り刃部と、前記刈り刃部の先端部から立ち上がる起風部とを備え、
前記マルチングバッフルプレートのうち、前記回転中心よりも前記刈り刃ハウジングの後方側に位置する後プレート部における下端が前記刈り刃部よりも上方に位置している。
【０００８】
本構成によると、マルチングバッフルプレートのうちの後プレート部の地上高さが刈り刃における刈り刃部の地上高さよりも高くなるので、マルチングバッフルプレートの内部に位置する刈り草が後プレート部と地面との隙間から刈り刃回転範囲の後方に抜け出易く、マルチングバップルプレート内に多量の刈り草が滞留することを防止できる。
刈り刃回転範囲の後方に抜け出た刈り草は、草刈りの跡地に落ちるので、刈り刃による草刈りの障害物にならない。
【０００９】
従って、マルチングバッフルプレート内に刈り草が詰まり難いと共にマルチングバップルプレートから抜け出た刈り草が草刈りの障害物にならず、草刈り作業を能率よくできる。
【００１０】
本発明においては、前記後プレート部における前記下端が前記起風部よりも上方に位置していると好適である。
【００１１】
本構成によると、後プレート部の地上高さがより高くなり、後プレート部と地面との隙間がより広くなるので、刈り草が刈り刃回転範囲の後方へより抜け出易くなる。
【００１２】
本発明においては、前記マルチングバッフルプレートのうち、前記回転中心よりも前記刈り刃ハウジングの前方側に位置する前プレート部における下端が前記刈り刃部よりも下方に位置していると好適である。
【００１３】
本構成によると、前プレート部の地上高が刈り刃部の地上高よりも低くなり、前プレート部と地面との隙間が狭くなるので、刈り草が刈り刃回転範囲の前方に抜け出して刈り刃による草刈りの障害物になることを防止できる。
【００１４】
本発明においては、前記回転範囲のうち、前記回転中心よりも前記刈り刃ハウジングの前方側に位置する部位に設けられ、刈り草を下向きに流下案内する案内部材を備えていると好適である。
【００１５】
本構成によると、刈り草が案内部材による流下案内を受けてマルチングバッフルプレートの下端側に向かって流動するので、刈り草が後プレート部と地面との隙間に至って刈り刃回転範囲の後方に抜け出易くなる。
【図面の簡単な説明】
【００１６】
【図１】乗用型草刈機の全体を示す左側面図である。
【図２】草刈装置を示す底面図である。
【図３】草刈装置を示す縦断側面図である。
【発明を実施するための形態】
【００１７】
以下、図面に基づいて、本発明の実施の形態を説明する。図１は、乗用型草刈機の全体を示す左側面図である。図１に示す［Ｆ］の方向が走行車体の前方向、［Ｂ］の方向が走行車体の後方向、紙面表側の方向が走行車体の左方向、紙面裏側の方向が走行車体の右方向と定義する。
【００１８】
〔乗用型草刈機の全体の構成〕
図１に示すように、乗用型草刈機は、左右一対の前車輪１が遊転可能に装備され、かつ、左右一対後車輪２が駆動可能に装備された走行車体を備えている。左右一対の前車輪１は、キャスタ型の車輪によって構成されている。左右一対の後車輪２は、一対の静油圧式の無段変速装置（図示せず）から各別に伝達される動力によって駆動される。走行車体の前部に運転部３が設けられている。運転部３には、運転座席４、左右一対の操縦レバー５が備えられている。走行車体の後部に、原動部６が設けられている。原動部６には、無段変速装置などに動力を出力するエンジン７が備えられている。走行車体の前後輪間に、草刈装置８が設けられている。草刈装置８は、リンク機構９を介して車体フレーム１０に支持されている。草刈装置８は、リンク機構９が昇降操作されることにより、ゲージ輪１１が地面に接地した下降作業状態と、ゲージ輪１１が地面から浮上した上昇非作業状態とにわたって昇降操作される。
【００１９】
乗用型草刈機においては、左右一対の操縦レバー５を揺動操作することにより、一対の無段変速装置を各別に変速操作でき、左右の後車輪２の駆動速度及び駆動方向が各別に変更されて、走行車体を操向操作できる。草刈装置８を下降作業状態にして走行車体を走行させることにより、芝や草を草刈装置８によって刈り取ることができる。
【００２０】
〔草刈装置８の構成〕
図１，２，３に示すように、草刈装置８は、刈り刃ハウジング１２を備えている。刈り刃ハウジング１２は、天板部１３、天板部１３の前縁部から下向きに延出された前壁部１４、天板部１３の左右の縁部から下向きに延出された左右の横壁部１５を備えている。
【００２１】
刈り刃ハウジング１２の内部に、刈り刃ハウジング１２の横幅方向に並ぶ３つの刈り刃１６が設けられている。各刈り刃１６は、回転支軸１７を介して天板部１３に支持され、回転支軸１７の軸芯を回転中心Ｐにして回転可能となっている。回転支軸１７は、カバー１８によって覆われている。回転支軸１７の軸芯は、刈り刃ハウジング１２の上下方向に沿った方向に延びている。天板部１３の上面側に駆動部１９が設けられている。エンジン７からの動力が回転軸１９ａ（図１参照）を介して駆動部１９に入力され、入力された動力によって回転支軸１７が駆動されることにより、刈り刃１６が回転方向Ｆ（図２参照）に駆動される。
【００２２】
図２，３に示すように、３つの刈り刃１６は、長手方向での中間部が回転支軸１７に支持された刈り刃部１６ａを備えている。刈り刃部１６ａの両方の先端部にエッジ１６ｂ及び起風部１６ｃが備えられている。起風部１６ｃは、刈り刃部１６ａの先端部から刈り刃部１６ａの上面側に立ち上がっている。刈り刃１６が駆動されることにより、起風部１６ｃが刈り刃部１６ａと共に回転し、起風部１６ｃによって搬送風が起こされる。
【００２３】
図２，３に示すように、刈り刃ハウジング１２の内部に、３つのマルチングバッフルプレート２０が設けられている。３つのマルチングバッフルプレート２０は、刈り刃ハウジング１２の上下方向視において、３つの刈り刃１６の回転範囲を各別に囲う状態で設けられている。各マルチングバッフルプレート２０は、天板部１３から下向きに延出され、天板部１３に支持されている。隣り合うマルチングバッフルプレート２０における一方のマルチングバッフルプレート２０と、他方のマルチングバッフルプレート２０とが交錯する部位において、一方のマルチングバッフルプレート２０におけるプレート部分２０ａが他方のマルチングバッフルプレート２０におけるプレート部分を構成している。
【００２４】
図２に示すように、マルチングバッフルプレート２０のうち、刈り刃１６の回転中心Ｐよりも刈り刃ハウジング１２の後方側に位置する後プレート部２０Ｒは、後プレート部２０Ｒの下端ＲＴが刈り刃１６のうちの起風部１６ｃよりも上方に位置する状態で構成されている。草刈装置８が下降作業状態に下降された状態において、後プレート部２０Ｒと地面との間に広い隙間が形成される。
【００２５】
図２に示すように、マルチングバッフルプレート２０のうち、刈り刃１６の回転中心Ｐよりも刈り刃ハウジング１２の前方側に位置する前プレート部２０Ｆは、前プレート部２０Ｆの下端ＦＴが刈り刃１６のうちの刈り刃部１６ａよりも下方に位置する状態で構成されている。草刈装置８が下降作業状態に下降された状態において、前プレート部２０Ｆと地面との間に形成される隙間が狭くなる。
【００２６】
図２に示すように、刈り刃１６の回転範囲のうち、刈り刃１６の回転中心Ｐよりも刈り刃ハウジング１２の前方側に位置する部位に案内部材２１が設けられている。案内部材２１は、マルチングバッフルプレート２０に支持されている。案内部材２１には、下端側ほど刈り刃回転方向下手側に位置する傾斜案内面２１ａが備えられている。起風部１６ｃによって起こされた搬送風の作用によってマルチングバッフルプレート２０の内部を回転するように流動する刈り草が案内部材２１の傾斜案内面２１ａに当接し、マルチングバッフルプレート２０の内部を下方に向って流動するように傾斜案内面２１ａによって流下案内される。
【００２７】
草刈装置８においては、草刈り作業のとき、刈り刃１６によって刈り取られた刈り草が起風部１６ｃによる搬送風を受けてマルチングバッフルプレート２０の内部を回転するよう流動しつつマルチングバッフルプレート２０の内部に滞留し、刈り刃１６によって細片化処理される。マルチングバッフルプレート２０の内部を流動する刈り草が刈り刃１６の回転範囲の前方に抜け出ることを前プレート部２０Ｆと地面との隙間が狭いことによって防止しつつ、刈り草の細片化処理を行なわせられる。マルチングバッフルプレート２０の内部を流動する刈り草が案内部材２１によって流下案内されて後プレート部２０Ｒと地面との隙間に向い、後プレート部２０Ｒと地面との広い隙間から刈り刃１６の回転範囲の後方に抜け出ることにより、マルチングバッフルプレート２０の内部に多量の刈り草が滞留することを防止しつつ、刈り草の細片化処理を行なわせられる。
【００２８】
〔別実施形態〕
（１）上記した実施形態では、マルチングバッフルプレート２０のうちの後プレート部２０Ｒにおける下端ＲＴが刈り刃１６のうちの起風部１６ｃよりも上方に位置するよう構成された例を示したが、刈り刃１６のうちの刈り刃部１６ａよりも上方で、起風部１６ｃよりも下方に位置するよう構成して実施してもよい。
【００２９】
（２）上記した実施形態では、マルチングバッフルプレート２０のうちの前プレート部２０Ｆにおける下端ＦＴが刈り刃１６のうちの刈り刃部１６ａよりも下方に位置するよう構成された例を示したが、刈り刃１６のうちの起風部１６ｃよりも下方で、刈り刃部１６ａよりも上方に位置するよう構成して実施してもよい。
【００３０】
（３）上記した実施形態では、案内部材２１が設けられた例を示したが、案内部材２１を設けないで実施してもよい。
【００３１】
（４）上記した実施形態では、３つの刈り刃１６が備えられた例を示したが、２つ以下、４つ以上の刈り刃を備えて実施してもよい。
【産業上の利用可能性】
【００３２】
本発明は、前車輪よりも前方に装備される草刈装置に利用可能である。
【符号の説明】
【００３３】
１２        刈り刃ハウジング
１６        刈り刃
１６ａ      刈り刃部
１６ｃ      起風部
２０        マルチングバッフルプレート
２０Ｒ      後プレート部
２０Ｆ      前プレート部
２１        案内部材
ＦＴ        前プレート部の下端
ＲＴ        後プレート部の下端
【図１】
2018174813.tif 000003
【図２】
2018174813.tif 000004
【図３】
2018174813.tif 000005